(57)【要約】  飛翔害虫捕獲器（１１）は、上部開口（２１）を有する容器本体（１７）と、誘引開口部（２３）を有して上部開口（２１）を覆うように取付けられる蓋体（１９）とからなる捕獲容器（１３）と、捕獲容器（１３）に収容される薬剤（１５）と、を備える。誘引開口部（２３）は、上下方向に伸びる複数の筒形状部（２５）を組み合わせて形成された組合せ構造部（２７）を有すると共に、組合せ構造部（２７）の上面が、蓋体（１９）の外周部から中央部へ向うにしたがって高くなる凸状外形を有している。
2016088890.tif 000002
【特許請求の範囲】
【請求項１】
上部開口を有する容器本体と、誘引開口部を有して前記上部開口を覆うように取付けられる蓋体とからなる捕獲容器と、
少なくとも害虫誘引成分を含むとともに前記捕獲容器に収容される薬剤と、を備え、
前記誘引開口部は、上下方向に伸びる複数の筒形状部を組み合わせて形成された組合せ構造部を有すると共に、前記組合せ構造部の上面が、前記蓋体の外周部から中央部へ向うにしたがって高くなる凸状外形を有しており、
前記誘引開口部を介して前記捕獲容器内に害虫を誘引捕獲する飛翔害虫捕獲器。
【請求項２】
前記組合せ構造部の底面における中央部には、少なくとも一部の前記筒形状部が前記蓋体の外周部近傍よりも下方へ延出されて形成された凸状部を有する請求項１に記載の飛翔害虫捕獲器。
【請求項３】
少なくとも一部の前記筒形状部の内面には、上下方向に伸びる線状突起部が設けられている請求項１又は２に記載の飛翔害虫捕獲器。
【発明の詳細な説明】
【技術分野】
【０００１】
本発明は、飛翔害虫捕獲器に関する。
【背景技術】
【０００２】
従来、飛翔害虫を捕獲するものとしていくつかの飛翔害虫捕獲器が提案されている(特許文献１及び２参照)。例えば、特許文献１には、図１２に示すように、蓋部５４９、薬液保持部５６０、及びトレイ部５６５から構成される飛翔害虫捕獲装置（飛翔害虫捕獲器）５５０が記載されている。
トレイ部５６５は、薬液保持部５６０を受け入れるとともに、固定部材５６７に固定された薬液保持部５６０に保持された薬液に含まれる殺虫成分によって死滅した飛翔害虫の死骸を蓄える機能を有する。
蓋部５４９は、上方の誘引部５５１とベース部５５３とから構成される。誘引部５５１は、ベース部５５３の中空下端面５５５に対して傾斜して設置されるとともに、内部側に窪んだ凹状領域として形成されている。誘引部５５１には、当該凹状領域の中央から周辺に向けてエッジ部５５７と幅４ｍｍの同心円状の開口部５５９とが交互に配置される。これら複数の開口部５５９は複数の接続部５６１で互いに接続され、接続部５６１の上には光反射部５６３が備えられている。
【先行技術文献】
【特許文献】
【０００３】
【特許文献１】日本国特許第５１３８７８６号公報
【特許文献２】日本国特開２００９−１４２２２８号公報
【発明の概要】
【発明が解決しようとする課題】
【０００４】
ところで、飛翔害虫を効率よく捕獲するには、先ず、飛翔害虫を捕獲器にとまらせ、捕獲器にとまった飛翔害虫を捕獲器内に侵入させ、捕獲器内に侵入した飛翔害虫を逃げにくくする必要がある。コバエ等の飛翔害虫は、高い位置にとまる習性があり、容器の中央部が周囲より高いことが望ましい。
しかしながら、図１２に示した飛翔害虫捕獲装置５５０は、蓋部５４９の中央部が凹状領域となるため、飛翔害虫がとまりにくい。このため、従来の飛翔害虫捕獲器は、捕獲効率を十分に高めることが困難であった。【０００５】
本発明は上記状況に鑑みてなされたもので、その目的は、飛翔害虫が、とまりやすく、且つ侵入しやすくし、しかも、逃げにくいことにより、捕獲効率を向上させることのできる飛翔害虫捕獲器を提供することにある。
【課題を解決するための手段】
【０００６】
本発明に係る上記目的は、下記構成により達成される。
（１）  上部開口を有する容器本体と、誘引開口部を有して前記上部開口を覆うように取付けられる蓋体とからなる捕獲容器と、少なくとも害虫誘引成分を含むとともに前記捕獲容器に収容される薬剤と、を備え、前記誘引開口部は、上下方向に伸びる複数の筒形状部を組み合わせて形成された組合せ構造部を有すると共に、前記組合せ構造部の上面が、前記蓋体の外周部から中央部へ向うにしたがって高くなる凸状外形を有しており、前記誘引開口部を介して前記捕獲容器内に害虫を誘引捕獲する飛翔害虫捕獲器。【０００７】
上記（１）の構成の飛翔害虫捕獲器によれば、組合せ構造部の上面が、蓋体の外周部から中央部へ向うにしたがって高くなる凸状外形を有しているので、飛翔害虫が中央部にとまりやすくなる。誘引開口部は、上下方向に伸びる複数の筒形状部を組み合わせて形成された組合せ構造部を有し、侵入口とエッジの多い形状となるので、飛翔害虫が筒形状部の侵入口から捕獲容器内に侵入しやすい。誘引開口部の中央部にとまった飛翔害虫は、蓋体の外側にたどり着くまでに時間がかかる。そして、蓋体の外側にたどり着くまでには、多くの侵入口があるので、飛翔害虫は、侵入口に誘導されやすく、逃げにくい。【０００８】
（２）  前記組合せ構造部の底面における中央部には、少なくとも一部の前記筒形状部が前記蓋体の外周部近傍よりも下方へ延出されて形成された凸状部を有する上記（１）の構成の飛翔害虫捕獲器。【０００９】
上記（２）の構成の飛翔害虫捕獲器によれば、誘引開口部の中央部にとまった飛翔害虫は、トンネル状となった筒形状部の侵入口を通り、蓋体の最低面に到達する。最低面に到達した飛翔害虫は、容器本体の内壁への直接の誘導路がないため、最低面を徘徊する。飛翔害虫は、最低面を徘徊する間に、近くの薬剤に飛び移ることとなる。【００１０】
（３）  少なくとも一部の前記筒形状部の内面には、上下方向に伸びる線状突起部が設けられている上記（１）又は（２）の構成の飛翔害虫捕獲器。【００１１】
上記（３）の構成の飛翔害虫捕獲器によれば、線状突起部が、筒形状部の侵入口に、蓋体の最低面に向かって延在している。侵入口に侵入してきた飛翔害虫は、この線状突起部を伝いながら歩いていく行動習性を有するので、飛翔害虫を薬剤へ効果的に誘引することができる。
【発明の効果】
【００１２】
本発明に係る飛翔害虫捕獲器によれば、飛翔害虫が、とまりやすく、且つ侵入しやすくし、しかも、逃げにくいことにより、捕獲効率を向上させることができる。【００１３】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１４】
【図１】図１は本発明の一実施形態に係る飛翔害虫捕獲器の全体斜視図である。
【図２】図２は図１に示した飛翔害虫捕獲器の一部分を切り欠いた分解斜視図である。
【図３】図３は図２に示した蓋体を同図の下側から見た斜視図である。
【図４】図４は図１に示した飛翔害虫捕獲器の縦断面図である。
【図５】図５の（ａ）は図２に示した蓋体の正面図、図５の（ｂ）は図５の（ａ）の平面図、図５の（ｃ）は図５の（ａ）の側面図、図５の（ｄ）は図５の（ａ）の底面図である。
【図６】図６の（ａ）は飛翔害虫がとまった誘引開口部の拡大斜視図、図６の（ｂ）は図６の（ａ）の平面図である。
【図７】図７は図１に示した飛翔害虫捕獲器の作用説明図である。
【図８】図８の（ａ）〜（ｃ）は飛翔害虫捕獲器の変形例を示した外観斜視図である。
【図９】図９の（ａ）,（ｂ）は飛翔害虫捕獲器の変形例を示した外観斜視図である。
【図１０】図１０の（ａ）は飛翔害虫がとまった比較例１に係る飛翔害虫捕獲器の斜視図、図１０の（ｂ）は図１０の（ａ）の平面図である。
【図１１】図１１は比較例２の飛翔害虫捕獲器における捕獲容器の縦断面図である。
【図１２】従来の捕獲器の例を示した外観斜視図である。
【発明を実施するための形態】
【００１５】
以下、本発明に係る実施形態を図面を参照して説明する。
図１及び図２に示すように、本発明の一実施形態に係る飛翔害虫捕獲器１１は、捕獲容器１３と、薬剤１５と、を有する。
捕獲容器１３は、容器本体１７と、蓋体１９と、からなる。
容器本体１７は、上部開口２１を有する。容器本体１７は、扁平な直方体形状に形成され、略平行となる一対の最大面積面が、鉛直方向に沿うようにして起立して載置される。載置された状態で、上方が上部開口２１となって開放される。容器本体１７は、上部開口２１の内側に、蓋体１９が嵌着される。
【００１６】
蓋体１９は、誘引開口部２３を有する。誘引開口部２３は、上下方向に伸びる複数の筒形状部２５を組み合わせて形成された組合せ構造部２７を有する。組合せ構造部２７は、筒形状部２５の侵入口２９が例えば四角形（ひし形）に形成される。この他、侵入口２９は、三角形、五角形、六角形、八角形等の多角形、円形、長円形、楕円形であってもよい。それぞれの筒形状部２５は、侵入口２９を包囲した開口縁がエッジとなる。
【００１７】
誘引開口部２３は、組合せ構造部２７の上面が、蓋体１９の外周部から中央部へ向うにしたがって高くなる凸状外形を有している。図５の（ａ）〜（ｄ）に示すように、本実施形態において、蓋体１９は、平面視で略矩形状となる。誘引開口部２３は、蓋体１９の外周枠部（外周部）３１よりも内側に配置される。蓋体１９の外周枠部３１には、外周に沿って水平上面３３が環状に形成される。すなわち、誘引開口部２３は、外周枠部３１の水平上面３３に包囲されて配置される。蓋体１９は、容器本体１７の上部開口２１を覆うようにして、外周枠部３１が容器本体１７に取付けられる。蓋体１９が容器本体１７に取り付けられることで組み立てられた飛翔害虫捕獲器１１は、誘引開口部２３を介して捕獲容器内に害虫を誘引捕獲する。
【００１８】
本実施形態の蓋体１９は、組合せ構造部２７の底面における中央部に、少なくとも一部の筒形状部２５が蓋体１９の外周部近傍よりも下方へ延出されて形成された凸状部３５を有する。図３に示すように、凸状部３５は、蓋体１９の外周枠部３１よりも内側（中央部）に形成される。これにより、凸状部３５は、蓋体１９が容器本体１７に取り付けられたとき、容器本体１７の内壁面に接触しないように構成されている（図７参照）。即ち、容器本体１７の内壁面と凸状部３５とは離間する。この離間距離は、飛翔害虫が、内壁面から凸状部３５へ容易に飛び移らない距離とされることが好ましい。
【００１９】
また、本実施形態の蓋体１９は、一部の筒形状部２５の内面に、上下方向に伸びる線状突起部３７が設けられている。線状突起部３７は、筒形状部２５の軸線に平行となって、同一の高さ寸法で連続して侵入口２９から凸状部３５の底面まで形成される。線状突起部３７は、誘引開口部２３の侵入口２９に進入してきた飛翔害虫が伝い歩き易いようにする機能を有する。
【００２０】
侵入口２９に侵入してきた飛翔害虫は、筒形状部２５の内面に突出している線状突起部３７を伝いながら歩いていく行動習性を有する。そこで、飛翔害虫は、害虫誘引成分を含んだ薬剤１５へと誘引されていき、この薬剤１５に接触することで、例えば薬剤１５に含まれる殺虫成分の作用によって、若しくはこの薬剤１５が液状、湿潤状（ゼリー、ゲル等）であるときには羽等が濡れることによって、行動できなくなったりして死に至る。
【００２１】
筒形状部２５の内面に対する線状突起部３７の突出高さは、飛翔害虫が乗り越え可能となる程度であることが好ましい。これにより、線状突起部３７を挟む両側の内面から接近する飛翔害虫が、線状突起部３７を壁面と見なさないようにすることができる。なお、ハエ、コバエ３９（図７参照）等の飛翔害虫の行動習性を考慮すると、線状突起部３７は高さ０．５〜５ｍｍ、幅０．５〜２ｍｍ程度とすることが好ましい。
【００２２】
また、容器本体１７の内壁面に上下方向に沿って、複数の線状突起部３８が平行に形成されてもよい。この場合、蓋体１９の凸状部３５から容器本体１７の内壁面に飛び移った飛翔害虫が、線状突起部３８を伝って薬剤１５へ誘導されやすくなる。
【００２３】
更に、本実施形態に係る飛翔害虫捕獲器１１は、飛翔害虫であるコバエ３９が、とまりやすく、侵入しやすく、逃げにくい容器形状を有する。
飛翔害虫捕獲器１１は、「とまりやすい形状」として、蓋体１９の中央部が周囲より高くなるように山型とされた。コバエ３９は、高い位置にとまる習性がある。このため、蓋体１９の中央部が周囲より高いことで、蓋体１９の中央部にコバエ３９をとまらせ易くすることができる（図６の（ａ）参照）。着地後、コバエ３９は、蓋体１９上を歩いて徘徊するが、蓋体１９の外側に近い場所にとまった場合より、蓋体１９の中央にとまった方が、図６の（ｂ）に示すように、コバエ３９の周りに多くの侵入口２９があるので、容器内へ侵入しやすくなる。
また、飛翔害虫捕獲器１１は、色が異なる容器本体１７と蓋体１９による色の境界線が、容器側面でなく、上面に設置される。すなわち、蓋体１９における外周枠部３１の水平上面３３と、上部開口２１が形成された容器本体１７の開口端縁との境が境界線１４（図１参照）とされている。コバエ３９は、色のコントラストが強い部分に対して視認性がよいと考えられている。コバエ３９は、色の境界面付近にとまることが多い。そのため、侵入口２９のある蓋体１９により多くとまらせるため、容器色の境界線１４が、上面となるように構成した。
【００２４】
飛翔害虫捕獲器１１は、「侵入しやすい形状」として、蓋体１９が侵入口２９とエッジの多い形状とされ、侵入口２９は斜面に設けられている。侵入口２９とエッジの多い形状については、複数の筒形状を組み合わせて形成された組合せ構造部２７によって実現されている。即ち、飛翔害虫捕獲器１１では、侵入口２９が斜面に設けられることで、侵入口２９が水平面に設けられる場合よりもエッジの線状距離が長くなり、コバエ３９がエッジを辿るうちに、侵入口２９へ侵入しやすくなる。
【００２５】
飛翔害虫捕獲器１１は、「逃げにくい形状」として、蓋体１９における組合せ構造部２７の底面における中央部に設けた凸状部３５が薬剤１５により近い位置まで延長され、容器本体１７の内壁に接触しない形状とされている。これにより、蓋体１９の中央部にとまったコバエ３９は、トンネル状の筒形状部２５を通り、蓋体１９の最低面に到着するが、容器本体１７の内壁への直接の誘導路がない。このため、コバエ３９は、この最低面を徘徊し、最低面を徘徊する間に、近くの薬剤１５に飛び移る。また、凸状部３５における最低面を徘徊するコバエ３９は、薬剤１５により近い位置を徘徊することになるので、薬剤１５に含まれた揮散性の殺虫成分や害虫誘引成分の作用を受けやすくすることができる。その結果、コバエ３９は、飛翔害虫捕獲器１１から逃げにくくなる。
【００２６】
薬剤１５は、少なくとも害虫誘引成分を含んで捕獲容器１３に収容され、液体状、粒状、ゲル状、ゼリー状、固形状等適宜様々な形状のものを使用することができる。
【００２７】
薬剤１５の保持担体としては例えば寒天、カラギーナン、ジェランガム等にて調製されたゲル固体を粉砕したもの（クラッシュゲル等）、そしてスポンジ、海綿体、パルプ、ポリマー等の吸液性を有するもの等が例示される。
ここで、吸液性ポリマーとしては、吸水性、吸油性のいずれでもよく、例えば澱粉−アクリロニトリルグラフト重合体の加水分解物、澱粉−アクリル酸ソーダグラフト重合体の架橋物、ポリアクリル酸共重合体、ポリアクリル酸ソーダの架橋物、イソブチレン−マレイン酸共重合体の架橋物及びその塩、ポリビニルアルコールアクリル酸ソーダグラフト重合体の架橋物、ポリ酢酸ビニル−エチレン系不飽和カルボン酸共重合体の架橋物の塩、長鎖アルキルアクリレート架橋重合体、ポリソルボルネン、アルキルスチレン−ジビニルベンゼン共重合体、メタクリレート系架橋重合体、アクリル酸重合体部分ナトリウム塩架橋物、ポリアクリル酸共重合体、変性アルキレンオキサイド等が挙げられる。
【００２８】
そして、害虫誘引成分としては、例えば、紹興酒、ビール、ワイン、アセトイン、黒酢、赤酢、食酢、各種果実エキス、野菜や果実の発酵物、味噌、酵母、蜂蜜、液糖、黒糖、砂糖、各種の植物性又は動物性の食餌等が挙げられる。
【００２９】
さらに飛翔性害虫の防除効果を高めるために、例えば、除虫菊エキス、天然ピレトリン、プラレトリン、イミプロトリン、フタルスリン、アレスリン、トランスフルトリン、レスメトリン、フェノトリン、シフェノトリン、ペルメトリン、サイパーメスリン、エトフェンプロックス、シフルスリン、デルタメスリン、ビフェントリン、フェンバレレート、フェンプロパスリン、エムペンスリン、シラフルオフェン、メトフルトリン、プロフルトリン等のピレスロイド系化合物、フェニトロチオン、ダイアジノン、マラソン、ピリダフェンチオン、プロチオホス、ホキシム、クロルピリホス、ジクロルボス等の有機リン系化合物、カルバリル、プロポクスル、メソミル、チオジカルブ等のカーバメート系化合物、メトキサジアゾン等のオキサジアゾール系化合物、フィプロニル等のフェニルピラゾール系化合物、アミドフルメト等のスルホンアミド系化合物、ジノテフラン、イミダクロプリド等のネオニコチノイド系化合物、メトプレン、ハイドロプレン、ピリプロキシフェン等の昆虫成長制御化合物等、及びオレンジ油、ハッカ油、ベンジルアルコール等の殺虫性精油等を殺虫成分として用いることもできる。
殺虫成分の含有量は保持担体中において０．０１〜０．５質量％であることが好ましい。
【００３０】
この他に飛翔性害虫の行動を阻害し（羽を濡らして動けなくする）、捕獲して死に至らしめるために、例えばポリブデン、天然ゴム、グアーガム、キサンタン、澱粉、糖類等の粘着成分を併用して薬剤１５の表面に高い粘着性を付与するようにしてもよい。これにより、さらに捕獲性を高めることができる。
【００３１】
さらに、前述した成分に加え、誘引性に支障をきたさない限りにおいてその他の成分を適宜添加することができる。
その他の成分としては、例えば誤食防止剤、防腐剤、ｐＨ調整剤、安定化剤、色素、香料等の各種補助成分が挙げられる。例えば、安息香酸デナトニウム（商品名 ビトレックス）、トウガラシエキス等の誤食防止剤、塩化セチルピリジニウム等の四級アンモニウム塩、ソルビン酸カリウム、パラベン等の防腐剤、クエン酸、リン酸これらの塩等のｐＨ調整剤、ＢＨＴ、ＢＨＡ等の安定化剤、赤色、青色、黄色、緑色、黒色、茶色等を示す各種色素、メロン、バニラ、ストロベリー、マンゴー、リンゴ、ナシ、バナナ、ドリアン等の香調の香料、等が挙げられる。
【００３２】
また、本発明の対象となる飛翔害虫としては、キイロショウジョウバエ、カスリショウジョウバエ、クロショウジョウバエ、オオショウジョウバエ、ノミバエ、オナジショウジョウバエ等のコバエ類、キンバエ、クロバエ、イエバエ等のハエ類が挙げられる。
さらに、前記の飛翔害虫に限らず、本発明は、例えば蚊、蜂等の飛翔害虫にも適用することができる。
【００３３】
次に、上記した本実施形態に係る飛翔害虫捕獲器１１の構成の作用を説明する。
本実施形態に係る飛翔害虫捕獲器１１では、組合せ構造部２７の上面が、蓋体１９の外周部から中央部へ向うにしたがって高くなる凸状外形を有しているので、図６の（ａ），（ｂ）に示すように、コバエ３９が中央部にとまりやすくなる。誘引開口部２３は、上下方向に伸びる複数の筒形状部２５を組み合わせて形成された組合せ構造部２７を有し、侵入口２９とエッジの多い形状となるので、コバエ３９が筒形状部２５の侵入口２９から捕獲容器内に侵入しやすい。誘引開口部２３の中央部にとまったコバエ３９は、蓋体１９の外側にたどり着くまでの距離が長く、蓋体１９の外側にたどり着くまでには、多くの侵入口２９を通過しなければならないので、コバエ３９は、侵入口２９に誘導されやすく、捕獲効率が向上する。
【００３４】
これに対し、図１０の（ａ）に示す比較例１の飛翔害虫捕獲器１１１のように、複数の筒形状部１２５を組み合わせて形成された組合せ構造１２７の上面が、蓋体１１９の外周部の一部から垂直に立ち上がる壁部１４１を有する凸状外形（蒲鉾形）を有する場合、図１０の（ｂ）に示すように、コバエ３９は蓋体１１９の端である壁部１４１の頂部にとまりやすい。そして、壁部１４１の頂部にとまったコバエ３９は、侵入口１２９とは反対方向に徘徊する可能性があるため、侵入口１２９に誘導されることなく、壁部１４１の外面を伝って飛翔害虫捕獲器１１１から逃げることがある。
【００３５】
また、本実施形態に係る飛翔害虫捕獲器１１では、誘引開口部２３の中央部にとまったコバエ３９は、トンネル状となった筒形状部２５の侵入口２９を通り、蓋体１９の最低面に到達する。最低面に到達したコバエ３９は、容器本体１７の内壁への直接の誘導路がないため、凸状部３５における最低面を徘徊する。凸状部３５における最低面を徘徊するコバエ３９は、薬剤１５により近い位置を徘徊することになるので、薬剤１５に含まれた揮散性の殺虫成分や誘引成分の作用を受けやすくすることができる。その結果、コバエ３９は、飛翔害虫捕獲器１１から逃げにくくなる。そして、コバエ３９は、徘徊する間に凸状部３５における最低面の端にたどり着き、近くの薬剤１５に飛び移ることとなる。
【００３６】
これに対し、図１１に示す比較例２の飛翔害虫捕獲器における捕獲容器２１３のように、蓋体２１９における組合せ構造部２７Ａの底面に凸状部３５がない場合、組合せ構造部２７Ａの平坦な底面に到達したコバエ３９は、凸状部３５の最低面よりも広い組合せ構造部２７Ａの底面を徘徊する時間が長くなり（組合せ構造部２７Ａにおける底面の端にたどり着くのが遅くなり）、薬剤１５に飛び移るまでに時間がかかる。
【００３７】
また、本実施形態に係る飛翔害虫捕獲器１１では、線状突起部３７が、筒形状部２５の侵入口２９に、蓋体１９の最低面に向かって延在している。侵入口２９に侵入してきたコバエ３９は、この線状突起部３７を伝いながら歩いていく行動習性を有するので、コバエ３９を薬剤１５へ効果的に誘引することができる。
【００３８】
次に、上記した飛翔害虫捕獲器１１の変形例を説明する。
図８及び図９は飛翔害虫捕獲器１１の変形例を示した外観斜視図である。
上記構成の飛翔害虫捕獲器１１は、平面視略矩形状の蓋体１９に、外周部から中央部へ向うにしたがって高くなる凸状外形を有した誘引開口部２３を説明したが、中央部が外周部よりも高い誘引開口部としては、この他、以下のものが考えられる。
すなわち、平面視円形の蓋体１９Ａは、図８の（ａ）に示すように、複数の筒形状部２５Ａを組み合わせて形成された組合せ構造部２７Ａの上面が半球形状に形成された誘引開口部４３を有するものであってもよい。
また、平面視多角形の蓋体１９Ｂは、図８の（ｂ）に示すように、複数の筒形状部２５Ｂを組み合わせて形成された組合せ構造部２７Ｂの上面が角錐形状に形成された誘引開口部４５を有するものであってもよい。
また、平面視円形の蓋体１９Ｃは、図８の（ｃ）に示すように、複数の筒形状部２５Ｃを組み合わせて形成された組合せ構造部２７Ｃの上面が階段状に形成された誘引開口部４７を有するものであってもよい。
また、平面視長円形の蓋体１９Ｄは、図９の（ａ）に示すように、複数の筒形状部２５Ｄを組み合わせて形成された組合せ構造部２７Ｄの上面が二山形状に形成された誘引開口部４９を有するものであってもよい。
また、平面視矩形の蓋体１９Ｅは、図９の（ｂ）に示すように、複数の筒形状部２５Ｅを組み合わせて形成された組合せ構造部２７Ｅの上面が二段形状に形成された誘引開口部５１を有するものであってもよい。
【００３９】
したがって、本実施形態に係る飛翔害虫捕獲器１１によれば、コバエ３９が、とまりやすく、且つ侵入しやすくし、しかも、逃げにくいことにより、捕獲効率を向上させることができる。
【００４０】
ここで、上述した本発明に係る飛翔害虫捕獲器の実施形態の特徴をそれぞれ以下に簡潔に纏めて列記する。
［１］  上部開口（２１）を有する容器本体（１７）と、誘引開口部（２３）を有して前記上部開口（２１）を覆うように取付けられる蓋体（１９）とからなる捕獲容器（１３）と、少なくとも害虫誘引成分を含むとともに前記捕獲容器（１３）に収容される薬剤（１５）と、を備え、前記誘引開口部（２３）は、上下方向に伸びる複数の筒形状部（２５）を組み合わせて形成された組合せ構造部（２７）を有すると共に、前記組合せ構造部（２７）の上面が、前記蓋体（１９）の外周部（外周枠部３１）から中央部へ向うにしたがって高くなる凸状外形を有しており、前記誘引開口部（２３）を介して前記捕獲容器（１３）内に害虫（コバエ３９）を誘引捕獲する飛翔害虫捕獲器（１１）。
［２］  前記組合せ構造部（２７）の底面における中央部には、少なくとも一部の前記筒形状部（２５）が前記蓋体（１９）の外周部（外周枠部３１）近傍よりも下方へ延出されて形成された凸状部（３５）を有する上記［１］の構成の飛翔害虫捕獲器（１１）。
［３］  少なくとも一部の前記筒形状部（２５）の内面には、上下方向に伸びる線状突起部（３７）が設けられている上記［１］又は［２］の構成の飛翔害虫捕獲器（１１）。
【００４１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【実施例】
【００４２】
次に、本発明に係る飛翔害虫捕獲器１１の有効性を試験するために行った実施例について説明する。【００４３】
［試験方法１］
１．８ｍ×１．８ｍ×１．８ｍの試験空間に、検体である飛翔害虫捕獲器を１個ずつ２種設置した。
飛翔害虫としてキイロショウジョウバエを試験空間に約２５０頭を放った。
キイロショウジョウバエを放った後の１０分間の各検体への飛来頭数と、３時間後の各検体内での捕獲頭数とを数えた。同様の試験を２回行い、平均値を算出した結果を下記表２及び表３に示す。
なお、各検体は、縦６ｃｍ×横２ｃｍ×高さ６ｃｍのプラスチック製の容器本体１７に、薬剤１５を３０ｇ充填し、異なる形状の蓋体１９，１１９をそれぞれ被せたものとした。ゲル粒である薬剤１５の充填の深さは３．５ｃｍであった。
それぞれの蓋体１９，１１９は、容器本体１７の上部からの高さが最も高い部分で２ｃｍとし、筒形状部２５の侵入口２９が空いており、そこからキイロショウジョウバエが容器内に侵入できる構造とした。【００４４】
［検体］
実施例１の検体は、図１に示すように、外周部から中央部へ向うにしたがって高くなる凸状外形を有する蓋体１９とした。
比較例１の検体は、図１０の（ａ）に示すように、蒲鉾形の蓋体１１９とした。【００４５】
［薬剤］
薬剤１５の処方は、下記表１に示すとおりとした。【００４６】
【表１】
2016088890.tif 000003
【００４７】
［効力試験結果］【００４８】
【表２】
2016088890.tif 000004
【００４９】
【表３】
2016088890.tif 000005
【００５０】
上記表２、表３から明らかなように、蓋体１９の中央部が最も高くなっている外形形状の実施例１の検体と図１０の（ａ）に示す蒲鉾形の蓋体１１９の比較例１の検体とを比較すると、飛来頭数は実施例１の形状とすることで向上した。さらに、実施例１の捕獲頭数は比較例１の約２倍となり、飛来頭数の向上割合以上に捕獲効率が向上した。これにより、実施例１の形状は飛翔害虫がとまりやすく、且つ侵入しやすくし、しかも、逃げにくいことにより、捕獲効率を向上することが示された。【００５１】
［試験方法２］
１．８ｍ×１．８ｍ×１．８ｍの試験空間に、検体である飛翔害虫捕獲器を１個ずつ２種設置した。
飛翔害虫としてキイロショウジョウバエを試験空間に約２００頭を放った。
各検体へ飛来したキイロショウジョウバエが容器内に侵入し、蓋体の底面に到達してから薬剤に飛び移るまでの時間を測定した。各検体に侵入した３頭のキイロショウジョウバエが蓋体の底面に到達してから薬剤に飛び移るまでの時間を計測し、平均値を算出した結果を下記表４に示す。
なお、各検体は、縦６ｃｍ×横２ｃｍ×高さ６ｃｍのプラスチック製の容器本体１７に、薬剤１５を１５ｇ充填し、異なる形状の蓋体１９，２１９をそれぞれ被せたものとした。
それぞれの蓋体１９，２１９は、容器本体１７の上部からの高さが最も高い部分で２ｃｍとし、筒形状部２５の侵入口２９が空いており、そこからキイロショウジョウバエが容器内に侵入できる構造とした。【００５２】
［検体］
実施例２の検体は、図４に示すように、組合せ構造部２７の底面における中央部に凸状部３５を有する蓋体１９とした。
比較例２の検体は、図１１に示すように、組合せ構造部２７Ａの底面に凸状部３５がない蓋体２１９とした。【００５３】
［薬剤］
薬剤１５の処方は、上記表１に示すとおりとした。【００５４】
［効力試験結果］【００５５】
【表４】
2016088890.tif 000006
【００５６】
上記表４から明らかなように、組合せ構造部２７の底面に凸状部３５を有する実施例２の検体と組合せ構造部２７Ａの底面に凸状部３５を有しない比較例２の検体とを比較すると、蓋体の底面に到達してから薬剤１５に飛び移るまでの時間は、実施例２の形状とすることで約１／１０と短くなった。これにより、実施例２の形状は飛翔害虫が薬剤１５に飛び移りやすく、薬剤１５へ効果的に誘引できることが示された。【００５７】
なお、本出願は、２０１４年１２月５日出願の日本特許出願（特願２０１４−２４７２９４）に基づくものであり、その内容はここに参照として取り込まれる。
【産業上の利用可能性】
【００５８】
本発明の飛翔害虫捕獲器によれば、飛翔害虫が、とまりやすく、且つ侵入しやすくし、しかも、逃げにくいことにより、捕獲効率を向上させることができる。
【符号の説明】
【００５９】
１１…飛翔害虫捕獲器
１３…捕獲容器
１５…薬剤
１７…容器本体
１９…蓋体
２１…上部開口
２３…誘引開口部
２５…筒形状部
２７…組合せ構造部
３１…外周枠部(外周部)
３５…凸状部
３７…線状突起部
３９…コバエ（害虫）
【図１】
2016088890.tif 000007
【図２】
2016088890.tif 000008
【図３】
2016088890.tif 000009
【図４】
2016088890.tif 000010
【図５】
2016088890.tif 000011
【図６】
2016088890.tif 000012
【図７】
2016088890.tif 000013
【図８】
2016088890.tif 000014
【図９】
2016088890.tif 000015
【図１０】
2016088890.tif 000016
【図１１】
2016088890.tif 000017
【図１２】
2016088890.tif 000018
【国際調査報告】
2016088890.tif 000019
2016088890.tif 000020
2016088890.tif 000021
2016088890.tif 000022